(57)【要約】      （修正有）【課題】机上や台上で切断しにくい対象物や場合に対し、これに対応することを目的とし、通常のカッターナイフとしても使えるようにする。【解決手段】カッターナイフの刃の砥ぎを片面側の片刃とし、その２枚の刃の砥ぎが無い背面同士をＸ字型に着接組み合わせ、相対する２枚の片刃が交差する部位にて両刃が構築される構造で、これを軸架構成によって切り込み角を可変できるカッターナイフ。【選択図】図１
0003135660.tif 000002
【実用新案登録請求の範囲】
【請求項１】
刃の砥ぎを片面側の片刃とし、その２枚の刃の砥ぎが無い側面同士をＸ字型に着接組み合わせ、刃先が交差する部位が両刃の状態を構築し、切断し得るように構成したことを特徴とするカッターナイフ。
【請求項２】
前記Ｘ字型に組み合わした刃を着接回動し得るよう軸架させ、２枚の刃の刃先が構築する切り裂き角度を、可変し得るように構成したことを特徴とするカッターナイフ。
【請求項３】
前記特徴の軸架構造を嵌脱し得るように構成し、通常のカッターナイフとしても使用できることを特徴とするカッターナイフ。
【考案の詳細な説明】
【技術分野】
【０００１】  本考案は、カッターナイフに関するものである。
【背景技術】
【０００２】  現在、市場には多種多様なカッターナイフが出回っている。
【考案の開示】
【考案が解決しようとする課題】
【０００３】  机上や台上で切断しにくい対象物や場合に対し、これに対応することを目的とし、通常のカッターナイフとしても使えるもの。
【課題を解決するための手段】
【０００４】  本考案は、カッターナイフの刃の砥ぎを片面側の片刃とし、その２枚の刃の砥ぎが無い側面同士をＸ字型に着接組み合わせ、それを軸架した構成で使用するものである。
【考案の効果】
【０００５】  相対する方向から切り込むことにより、筒状物や球体にも対応できるもので、机上や台上で無くても切断でき、曲線切りも構造上容易で切断対象物の種類及び応用範囲が広がるもので、さらには軸架構成を嵌脱すれば、通常のカッターナイフとして使用できる。
【考案を実施するための最良の形態】
【０００６】  片刃の２枚の刃の刃先が交差する部位で両刃を構築し、押し切ることにより切断対象物を切り裂く。【０００７】  切断対象物の素材や状態により切断しにくい場合、本体握り柄の取っ手を操作する事により、構築された両刃が偏角及び切断作用点の移行等、刃先に様々な変化が生じ、切断が可能となるものである。
【実施例】
【０００８】  以下、添付図面に基づいて実施例を説明する。１は刃で、２はその砥ぎ部で片刃としている。【０００９】  上記１の刃２枚を対とし、砥ぎが入って無い側面同士がＸ字型に着接するよう、軸４にて軸架された構成で、当該着接部の相対する片刃同士が交差する部位が、両刃を構築することにより切断対象物を切り裂くものである。【００１０】  また、上記の如く構成された切断部の切り裂き角度は、軸４にて鋭角から鈍角に可変できるものである。【００１１】  ８，９は本体握り柄で、軸４にて軸架された２枚の刃が着接回動する範囲は、その妨げにならない形状とし、それぞれに指掛け１０や取っ手１１を設けている。【００１２】  握り柄８、９上部と握り柄内に挿着固定されたホルダー１２の上部には、長手方向に同一の切れ込み１３を設け、それに軸受部材５を挿通し、折曲突片６にて脱落を防ぎ、軸受部材５が握り柄上を長手方向に摺動する構成としている。【００１３】  伸縮部材７は、切断に使用する前方の刃のぐらつきや反りを抑える為のもので、刃の上部長手方向先端部まで覆った安全なものとし、先端鉤３と折曲ガイド１４、咬合突片１５を設け、その伸縮部材７の端末上部に軸受部材５を一体削成し、ホルダー１２に内設した構成としている。【００１４】  ホルダー１２の上部先端には咬合切り込み１６を設け、伸縮部材７が最縮時、先端鉤３の端末部及び咬合突片１５と咬合し、ホルダー１２と一体化させ、刃からの荷重に対応するものとしている。【００１５】  また、伸縮部材７の最伸時には、先端鉤３と折曲ガイド１４にて対応するものとしている。【００１６】  本体握り柄８，９の軸架には、軸螺子１７にて螺合する構成としているが、別の構造を採用しても構わないものとする。【００１７】  上記構成にて伸縮する伸縮部材や刃は、固定螺子ダイヤル１８にて締着し、摺動部の間隙も封着、固定するものとしている。【００１８】  上述の如く構成されたカッターナイフは、親指を握り柄９の指掛け１０に、他の指を握り柄８の取っ手１１に架け、押し切る。或いは、カッターナイフ本体の向きを逆に握り、引き切る。【００１９】  また、切断状況や曲線切り、切断対象物等に応じて握り柄８の取っ手１１を操作し、切断部の刃先の角度を随時可変させながら切り裂くものである。【００２０】  本考案のカッターナイフは、軸４にて嵌脱し、伸縮部材５を最縮すれば、通常のカッターナイフのように使用できるものとしている。【００２１】  また、本体握り柄８の取っ手１１も嵌脱できる構造にすれば、より握り良いものとなる。
【図面の簡単な説明】
【００２２】
【図１】  本考案の平面図である。
【図２】  本考案の刃の形状を示す平面図である。
【図３】  本考案の刃の組構成を示す説明斜視図である。
【図４】  本考案の刃等を外した状態を示す本体握り柄９の前部の斜視図である。
【図５】  本考案のホルダー１２に内設する伸縮部材７の斜視図である。
【図６】  本考案の本体握り柄９の前部を示す斜視図である。
【図７】  本考案の伸縮部材７の最縮時を示す本体握り柄９の表側平面図である。
【図８】  本考案の伸縮部材７の最縮時を示す本体握り柄９の裏側平面図である。
【図９】  本考案の伸縮部材７の最伸時を示す本体握り柄９の裏側平面図である。
【図１０】  本考案の伸縮部材７の最伸時を示す本体握り柄８の表側平面図である。
【符号の説明】
【００２３】  １          刃
２          砥ぎ部
３          先端鉤
４          軸
５          軸受部材
６          折曲突片
７          伸縮部材
８          本体握り柄
９          本体握り柄
１０          指掛け
１１          取っ手
１２          ホルダー
１３          切れ込み
１４          折曲ガイド
１５          咬合突片
１６          咬合切り込み
１７          軸螺子
１８          固定螺子ダイヤル
【図１】
0003135660.tif 000003
【図２】
0003135660.tif 000004
【図３】
0003135660.tif 000005
【図４】
0003135660.tif 000006
【図５】
0003135660.tif 000007
【図６】
0003135660.tif 000008
【図７】
0003135660.tif 000009
【図８】
0003135660.tif 000010
【図９】
0003135660.tif 000011
【図１０】
0003135660.tif 000012
【手続補正書】
【提出日】平成19年6月14日(2007.6.14)
【手続補正１】
【補正対象書類名】実用新案登録請求の範囲
【補正対象項目名】全文
【補正方法】変更
【補正の内容】
【実用新案登録請求の範囲】
【請求項１】
刃の砥ぎを片面側の片刃とし、その２枚の刃の砥ぎが無い側面同士をＸ字型に着接組み合わせ、刃先が交差する部位が両刃の状態を構築し、切断し得るように構成したことを特徴とするカッターナイフ。
【請求項２】
上記Ｘ字型に組み合わした刃を着接回動し得るよう軸架させ、上記２枚の刃の刃先が構築する切り裂き角度を、可変し得るように構成したことを特徴とする請求項１記載のカッターナイフ。
【請求項３】
上記軸架構造を嵌脱し得るように構成し、通常のカッターナイフとして使用可能としたことを特徴とする請求項２記載のカッターナイフ。